(57)【要約】      （修正有）【課題】固体電解質をセンサ素子とするガスセンサを高温雰囲気で使用する際の耐用期間を長期化することができるガス濃度検出方法を、提供する。【解決手段】固体電解質のセンサ素子１１の表面に設けられた基準電極ｐ１と測定電極ｐ２との間に生じる起電力に基づいて、被測定ガス雰囲気Ｈにおけるガス濃度を検出するガス濃度検出方法であって、センサ素子１１において少なくとも測定電極側の端部を、被測定ガス雰囲気Ｈと連通し、且つ、被測定ガス雰囲気Ｈより低い温度の低温雰囲気Ｌに配設することにより、センサ素子１１の温度を被測定ガス雰囲気の温度より少なくとも２００℃低い温度とする。【選択図】図１
2019132756.tif 000002
【特許請求の範囲】
【請求項１】
加熱された被測定ガス雰囲気におけるガス濃度を検出するガス濃度検出方法であって、
固体電解質のセンサ素子、該センサ素子の表面に設けられた基準電極、及び、該基準電極が接している第一空間と区画されている第二空間において前記センサ素子の表面に設けられた測定電極を備えるセンサプローブを使用し、
前記センサ素子において少なくとも前記測定電極側の端部を、前記被測定ガス雰囲気と連通し、且つ、前記被測定ガス雰囲気より低い温度の低温雰囲気に配設し、
前記基準電極と前記測定電極との間に生じる起電力に基づいて、前記被測定ガス雰囲気におけるガス濃度を検出するものであり、
前記被測定ガス雰囲気を、加熱炉において炉壁の内周面に積層された多孔質の断熱材層より内側の空間の雰囲気とし、前記低温雰囲気を前記断熱材層の層内雰囲気とすることにより、前記センサ素子の温度を前記被測定ガス雰囲気の温度より少なくとも２００℃低い温度とする
ことを特徴とするガス濃度検出方法。
【請求項２】
加熱された被測定ガス雰囲気におけるガス濃度を検出するガス濃度検出方法であって、
固体電解質のセンサ素子、該センサ素子の表面に設けられた基準電極、及び、該基準電極が接している第一空間と区画されている第二空間において前記センサ素子の表面に設けられた測定電極を備えるセンサプローブを使用し、
前記センサ素子において少なくとも前記測定電極側の端部を、前記被測定ガス雰囲気と連通し、且つ、前記被測定ガス雰囲気より低い温度の低温雰囲気に配設し、
前記基準電極と前記測定電極との間に生じる起電力に基づいて、前記被測定ガス雰囲気におけるガス濃度を検出するものであり、
前記低温雰囲気を、前記被測定ガス雰囲気からの排気を流通させるために常温の空間内に配設された排気路の途中に接続された管状部材の内部雰囲気とし、前記センサ素子をヒータで加熱することにより、前記センサ素子の温度を前記被測定ガス雰囲気より少なくとも２００℃低い温度とする
ことを特徴とするガス濃度検出方法。
【請求項３】
前記被測定ガス雰囲気を減圧する
ことを特徴とする請求項１または請求項２に記載のガス濃度検出方法。
【請求項４】
被測定ガス雰囲気を加熱する加熱部と、
固体電解質のセンサ素子、該センサ素子の表面に設けられた基準電極、及び、該基準電極が接している第一空間と区画されている第二空間において前記センサ素子の表面に設けられた測定電極を備えるセンサプローブであって、前記センサ素子において少なくとも前記測定電極側の端部が、前記被測定ガス雰囲気と連通し、且つ、前記被測定ガス雰囲気より低い温度の低温雰囲気に配設されているセンサプローブと、
前記基準電極と前記測定電極との間に生じる起電力を測定する電圧計と、を具備し、
前記被測定ガス雰囲気は、加熱炉において炉壁の内周面に積層された多孔質の断熱材層より内側の空間の雰囲気であり、
前記低温雰囲気は、前記断熱材層の層内雰囲気である
ことを特徴とするガス濃度検出装置。
【請求項５】
被測定ガス雰囲気を加熱する加熱部と、
固体電解質のセンサ素子、該センサ素子の表面に設けられた基準電極、及び、該基準電極が接している第一空間と区画されている第二空間において前記センサ素子の表面に設けられた測定電極を備えるセンサプローブであって、前記センサ素子において少なくとも前記測定電極側の端部が、前記被測定ガス雰囲気と連通し、且つ、前記被測定ガス雰囲気より低い温度の低温雰囲気に配設されているセンサプローブと、
前記基準電極と前記測定電極との間に生じる起電力を測定する電圧計と、を具備し、
前記低温雰囲気は、前記被測定ガス雰囲気からの排気を流通させるために常温の空間内に配設される排気路の途中に接続された管状部材の内部雰囲気であり、
前記センサプローブは、前記センサ素子を加熱するヒータを更に備える
ことを特徴とするガス濃度検出装置。
【請求項６】
前記被測定ガス雰囲気を減圧する減圧装置を更に具備する
ことを特徴とする請求項４または請求項５に記載のガス濃度検出装置。
【発明の詳細な説明】
【技術分野】
【０００１】
本発明は、固体電解質をセンサ素子とするガスセンサによるガス濃度検出方法、及び、該検出方法に使用されるガス濃度検出装置に関するものである。
【背景技術】
【０００２】
固体電解質（イオン伝導性セラミックス）をセンサ素子として、水素ガス、酸素ガス、炭酸ガス、水蒸気などのガス濃度を検出する固体電解質センサが種々提案されている。固体電解質センサは、同一イオンの濃度差により電位差が生じる濃淡電池の原理を使用したものであり、固体電解質を挟んだ二つの空間で検出対象のガスの濃度が異なる場合に、固体電解質に生じる起電力を測定する。二つの空間のうち、第一の空間において検出対象ガスの濃度が既知であれば、ネルンストの式により、測定された起電力とセンサ素子の温度から、第二の空間におけるガス濃度を知ることができる。或いは、第一の空間のガス濃度を一定とした状態で、第二の空間におけるガス濃度を変化させて起電力を測定して予め検量線を作成しておくことにより、ガス濃度が未知の場合の起電力の測定値から、第二の空間のガス濃度を知ることができる。
【０００３】
固体電解質センサは、固体電解質がイオン伝導性を示す温度範囲内で、ごく低いガス濃度を精度よく検出することができる。固体電解質がイオン伝導性を示す温度範囲は、一般的には４００℃〜１０００℃である。
【０００４】
ところが、固体電解質センサが９００℃を超える高温雰囲気で連続的に使用されると、センサ素子の劣化が早く、精度よくガス濃度を検出することができる期間が限られるという問題があった。例えば、プロトン伝導性を示す固体電解質をセンサ素子とする水素センサを、９５０℃の高温雰囲気で連続的に使用する場合、耐用期間は約１カ月という短期間である。使用を開始する前の新品の水素センサによって測定される起電力の大きさを１００％とすると、９５０℃の高温雰囲気における１カ月の使用によって、起電力の大きさは９７％まで低下し、その後わずか一日の経過で更に９６％まで低下してしまう。
【０００５】
そのため、固体電解質をセンサ素子とするガスセンサを高温雰囲気で使用する際の耐用期間を、より長期化することが要請されていた。
【発明の概要】
【発明が解決しようとする課題】
【０００６】
そこで、本発明は、上記の実情に鑑み、固体電解質をセンサ素子とするガスセンサを高温雰囲気で使用する際の耐用期間を、長期化することができるガス濃度検出方法、及び、該検出方法に使用されるガス濃度検出装置の提供を、課題とするものである。
【課題を解決するための手段】
【０００７】
上記の課題を解決するため、本発明にかかるガス濃度検出方法は、
「加熱された被測定ガス雰囲気におけるガス濃度を検出するガス濃度検出方法であって、
固体電解質のセンサ素子、該センサ素子の表面に設けられた基準電極、及び、該基準電極が接している第一空間と区画されている第二空間において前記センサ素子の表面に設けられた測定電極を備えるセンサプローブを使用し、
前記センサ素子において少なくとも前記測定電極側の端部を、前記被測定ガス雰囲気と連通し、且つ、前記被測定ガス雰囲気より低い温度の低温雰囲気に配設し、
前記基準電極と前記測定電極との間に生じる起電力に基づいて、前記被測定ガス雰囲気におけるガス濃度を検出する」ものである。
【０００８】
固体電解質をセンサ素子とするガスセンサで被測定ガス雰囲気におけるガス濃度を検出する際、“センサ素子を被測定ガス雰囲気に挿入する”のが当業者の常識であった。本発明者らは、このような従来の常識に反し、センサ素子において少なくとも測定電極側の端部を、被測定ガス雰囲気より低い温度の低温雰囲気に配設しても、この低温雰囲気が被測定ガス雰囲気と連通していれば、被測定ガス雰囲気におけるガス濃度を正確に検出できることを見出し、本発明に至ったものである。センサ素子において測定電極と接している第二空間は、基準電極と接している第一空間と区画されているため、第二空間側を低温雰囲気に配設すれば、第一空間側は被測定ガス雰囲気と分断されたより低温の空間に置くことが可能である。従って、センサ素子の全体を、被測定ガス雰囲気より低温とすることができるため、被測定ガス雰囲気が非常に高温となる環境で使用されても、センサ素子の劣化を抑制し、耐用期間を長期化することができる。
【０００９】
センサ素子の劣化を十分に抑制するためには、センサ素子の温度を被測定ガス雰囲気より少なくとも２００℃低い温度とする。そのためには、「前記被測定ガス雰囲気を、加熱炉において炉壁の内周面に積層された多孔質の断熱材層より内側の空間の雰囲気とし、前記低温雰囲気を、前記断熱材層の層内雰囲気とする」手段、或いは、「前記低温雰囲気を、前記被測定ガス雰囲気からの排気を流通させるために常温の空間内に配設された排気路の途中に接続された管状部材の内部雰囲気とし、前記センサ素子をヒータで加熱する」手段を採用することができる。
【００１０】
本発明にかかるガス濃度検出方法は、上記構成に加え、
「前記被測定ガス雰囲気を減圧する」ものとすることができる。
【００１１】
気体熱伝導式のガスセンサや接触燃焼式のガスセンサを使用した検出方法では、被測定ガス雰囲気が減圧されると、ガス濃度を正確に検出することができない。これに対し、固体電解質をセンサ素子とした本構成のガス濃度検出方法では、詳細は後述するように、被測定ガス雰囲気が減圧されても、ガス濃度を正確に検出することができるため、減圧下でのガス濃度検出に適している。また、仮に、被測定ガス雰囲気と低温雰囲気とを合わせた系全体の体積が極めて大きい場合は、これらの雰囲気が連通していても被測定ガスの濃度分布が生じることが懸念される。これに対し、被測定ガス雰囲気、及びこれと連通している低温雰囲気が減圧されることにより、被測定ガスが十分に系内に拡散するため、系全体の体積が極めて大きい場合であっても濃度分布の発生を防止することができる。なお、「減圧」されたときの圧力は、絶対圧で５００００Ｐａ（大気圧の約１／２）〜５Ｐａとすることができる。
【００１２】
次に、本発明にかかるガス濃度検出装置は、
「被測定ガス雰囲気を加熱する加熱部と、
固体電解質のセンサ素子、該センサ素子の表面に設けられた基準電極、及び、該基準電極が接している第一空間と区画されている第二空間において前記センサ素子の表面に設けられた測定電極を備えるセンサプローブであって、前記センサ素子において少なくとも前記測定電極側の端部が、前記被測定ガス雰囲気と連通し、且つ、前記被測定ガス雰囲気より低い温度の低温雰囲気に配設されているセンサプローブと、
前記基準電極と前記測定電極との間に生じる起電力を測定する電圧計と、を具備する」ものである。
【００１３】
そして、上記構成において更に、「前記被測定ガス雰囲気は、加熱炉において炉壁の内周面に積層された多孔質の断熱材層より内側の空間の雰囲気であり、前記低温雰囲気は、前記断熱材層の層内雰囲気である」構成、或いは、「前記低温雰囲気は、前記被測定ガス雰囲気からの排気を流通させるために常温の空間内に配設される排気路の途中に接続された管状部材の内部雰囲気であり、前記センサプローブは前記センサ素子を加熱するヒータを更に備える」構成とすることができる。また、何れの構成も、「前記被測定ガス雰囲気を減圧する減圧装置を更に具備する」ものとすることができる。
【００１４】
これらは、上記のガス濃度検出方法に使用されるガス濃度検出装置の構成である。
【発明の効果】
【００１５】
以上のように、本発明によれば、固体電解質をセンサ素子とするガスセンサを高温雰囲気で使用する際の耐用期間を長期化することができるガス濃度検出方法、及び、該検出方法に使用されるガス濃度検出装置を、提供することができる。
【図面の簡単な説明】
【００１６】
【図１】本発明の第一実施形態のガス濃度検出方法に使用されるガス濃度検出装置の構成図である。
【図２】図１のガス濃度検出装置を使用し、導入ガスにおける水素濃度を変化させると共に被測定ガス雰囲気の圧力を変化させたときに、検出された水素分圧の変化を示すグラフである。
【図３】（ａ）〜（ｄ）は、被測定ガス雰囲気の圧力が異なる場合について、それぞれ導入ガスにおける水素濃度と算出された水素濃度との関係を、図１のガス濃度検出装置と気体熱伝導式水素センサを使用したガス濃度検出装置とで対比したグラフである。
【図４】（ａ）〜（ｄ）は、図１のガス濃度検出装置を被測定ガス雰囲気が高温となる環境下で５カ月使用した後に、導入ガスにおける水素濃度と算出された水素濃度との関係を調べる動作確認試験を、それぞれ第二空間の圧力を異ならせて行った結果である。
【図５】本発明の第二実施形態のガス濃度検出方法に使用されるガス濃度検出装置の構成図である。
【図６】（ａ），（ｂ）は、図５のガス濃度検出装置を被測定ガス雰囲気が高温となる環境下で１年半使用した後に、被測定ガス雰囲気の圧力を変化させて検出された水素分圧の変化を、導入ガスにおける水素濃度が異なる場合について示すグラフである。
【図７】図５のガス濃度検出装置を被測定ガス雰囲気が高温となる環境下で１年半使用した後に、導入ガスにおける水素濃度と算出された水素濃度との関係を調べる動作確認試験を、第二空間の圧力を異ならせて行った結果である。
【発明を実施するための形態】
【００１７】
以下、本発明の具体的な実施形態であるガス濃度検出方法、及び、その検出方法に使用されるガス濃度検出装置について説明する。まず、第一実施形態のガス濃度検出方法に使用されるガス濃度検出装置Ｅ１の構成について、図１を用いて説明する。
【００１８】
ガス濃度検出装置Ｅ１は、センサプローブ１０、加熱炉２０、ガス導入管３１、ガス排出管３２、減圧装置４１、圧力計４２、及び制御装置（図示を省略）を具備している。ここでは、ガス濃度検出装置Ｅ１が、加熱炉２０内で鋼材料の表面処理を行いつつ、加熱炉２０内のガス濃度を検出する装置である場合を例示する。
【００１９】
より詳細に説明すると、加熱炉２０は炉壁２１の内周面に積層された断熱材層２５を備えている。加熱炉２０において断熱材層２５より内側の空間が、ガス濃度の検出対象であるガスを含む被測定ガス雰囲気Ｈである。被測定ガス雰囲気Ｈは、その雰囲気内に配された加熱部としての発熱体２２によって加熱されている。
【００２０】
断熱材層２５は、耐熱性の繊維材料を圧縮した断熱材によって形成された多孔質の層であり、その層内空間が、被測定ガス雰囲気Ｈと連通し、且つ、被測定ガス雰囲気Ｈより低い温度の低温雰囲気Ｌである。ガス導入管３１は、加熱炉２０の内部に表面処理用のガスを導入するための管であり、加熱炉２０側の先端は被測定ガス雰囲気Ｈ内に位置している。ガス排出管３２は、加熱炉２０から外部にガスを排出するための管であり、加熱炉２０側の先端は断熱材層２５の層内空間に位置している。ガス排出管３２には、減圧装置４１としての吸引ポンプと圧力計４２が接続されており、鋼材料の表面処理を減圧下で行うことができる。
【００２１】
センサプローブ１０は、固体電解質のセンサ素子１１、基準電極ｐ１、測定電極ｐ２、筒状のホルダ１８を主要な構成としている。センサ素子１１は有底筒状であり、ホルダ１８の内部に位置させた状態で、その外周面とホルダ１８の内周面とが封止部１９によって気密に封止されている。これにより、ホルダ１８の内部空間は、第一空間Ｓ１と第二空間Ｓ２とに気密に区画されている。そして、基準電極ｐ１は第一空間Ｓ１においてセンサ素子１１の表面に形成されており、測定電極ｐ２は第二空間Ｓ２においてセンサ素子１１の表面に形成されている。基準電極ｐ１及び測定電極ｐ２は、それぞれ電圧計（図示を省略）に電気的に接続されており、基準電極ｐ１と測定電極ｐ２との間に生じた起電力が測定される。
【００２２】
センサプローブ１０は、センサ素子１１における測定電極ｐ２側の端部が、断熱材層２５の層内空間、すなわち低温雰囲気Ｌに位置するように加熱炉２０内に挿入されており、残部は加熱炉２０の外部に位置している。従って、断熱材層２５の層内空間である低温雰囲気Ｌが、センサプローブ１０にとっての第二空間Ｓ２である。また、センサプローブ１０は、センサ素子１１の温度を測定する熱電対１３と、第一空間Ｓ１に基準ガスを供給する基準ガス供給管１４を更に備えており、共に加熱炉２０の外部からセンサプローブ１０内に挿入されている。なお、固体電解質が基準ガスとして大気を使用できるタイプである場合は、基準ガス供給管１４を備えることなく、第一空間Ｓ１を大気に開放させてもよい。
【００２３】
制御装置は、主記憶装置、補助記憶装置、及びマイクロプロセッサを備えるマイクロコンピュータを具備しており、マイクロコンピュータを制御手段として機能させる制御プログラムが主記憶装置に記憶されている。制御手段は、基準電極ｐ１及び測定電極ｐ２の間に生じた起電力に基づいて被測定ガス雰囲気Ｈにおけるガス濃度またはガス分圧を算出するガス濃度演算手段、熱電対１３の起電力をセンサ素子１１の温度に変換する温度検出手段、ガス濃度やセンサ素子１０の温度等の検出結果を補助記憶装置に記憶させる記憶手段を、主に備えている。
【００２４】
上記構成のガス濃度検出装置Ｅ１では、センサ素子１１における測定電極ｐ２側の端部が配されている低温雰囲気Ｌは、断熱材層２５の層内空間である。そのため、断熱材の断熱作用によって低温雰囲気Ｌの温度を、鋼材料の表面処理が行われる被測定ガス雰囲気Ｈの温度より、少なくとも２００℃低い温度とすることが可能である。そして、センサ素子１１において測定電極ｐ２側の端部を除く部分は、加熱炉２０の外部空間にあるため、より低温である。従って、被測定ガス雰囲気Ｈが高温であっても、センサ素子１１の全体を低温の雰囲気に置くことができ、その劣化を抑制することができる。
【００２５】
実際に、ガス濃度検出装置Ｅ１を使用し、加熱炉２０内に導入するガスの濃度を変化させると共に、被測定ガス雰囲気Ｈの圧力を変化させたときのガス分圧を検出した結果を図２に示す。固体電解質としては、プロトン伝導性のＳｒＺｒ０．９５Ｙｂ０．０５Ｏ３−αを使用し、加熱炉２０内に導入するガスの濃度を１００％水素、８０％水素−２０％窒素、５０％水素−５０％窒素、３０％水素−７０窒素％の順に変化させた。それぞれの濃度のガスを導入している間に、被測定ガス雰囲気Ｈの圧力を大気圧（１０１３２５Ｐａ）、５０００Ｐａ、１０００Ｐａ、２００Ｐａの順に変化させた。被測定ガス雰囲気Ｈの温度は９５０℃であり、センサ素子１１の測定電極ｐ２側の端部が配された低温雰囲気Ｌの温度は７００℃であった。
【００２６】
図２では、最上段が被測定ガス雰囲気Ｈの全圧を示すグラフであり、二段目が被測定ガス雰囲気Ｈの水素分圧をフルスケールで示すグラフであり、三段目から五段目はそれぞれ全圧が５０００Ｐａ、１０００Ｐａ、２００Ｐａのときの水素分圧を拡大スケールで示すグラフである。図２から明らかなように、何れの圧力においても、導入ガスにおける水素濃度が１００％から８０％、５０％、３０％と変化すれば、これに伴って水素分圧も１００％から８０％、５０％、３０％と変化した。また、全圧の変化に伴い、水素分圧の変化が応答性良く検出された。これらのことから、センサ素子１１を被測定ガス雰囲気Ｈに挿入することなく、被測定ガス雰囲気Ｈより低い温度の低温雰囲気Ｌに配しても、両雰囲気が連通していれば、被測定ガス雰囲気Ｈにおけるガス濃度を正確に検出できることが分かる。
【００２７】
また、固体電解質をセンサ素子１１としているセンサプローブ１０に替えて、気体熱伝導式の水素センサを使用する他は、ガス濃度検出装置Ｅ１と同様の構成である比較例のガス濃度検出装置Ｒと対比した結果を、図３に示す。ガス濃度検出装置Ｅ１，Ｒの何れについても、被測定ガス雰囲気Ｈの全圧が大気圧、５０００Ｐａ、１０００Ｐａ、２００Ｐａであるとき、それぞれ導入ガスにおける水素濃度を１００％、８０％、５０％、３０％と変化させ、そのときの起電力に基づいて水素濃度を算出した。被測定ガス雰囲気Ｈの温度は９００℃であり、センサ素子１１の測定電極ｐ２側の端部が配された低温雰囲気Ｌの温度は６００℃であった。
【００２８】
図３から、本実施形態のガス濃度検出装置Ｅ１では、何れの圧力においても導入した水素ガスの濃度が正確に検出されていることが分かる。これに対し、気体熱伝導式の水素センサを使用した比較例のガス濃度検出装置Ｒでは、導入ガスにおける水素濃度と算出された水素濃度に差があり、その差は、圧力が２００Ｐａと小さい場合に非常に大きなものであった。これらのことから、固体電解質をセンサ素子１１とするガス濃度検出装置Ｅ１は、減圧下におけるガス濃度の検出に非常に有効であると考えられた。
【００２９】
更に、図１のガス濃度検出装置Ｅ１を、被測定ガス雰囲気Ｈの温度が９５０℃である高温環境で５カ月間にわたり連続使用した後、センサプローブ１０の動作確認試験を行った。その結果を図４に示す。動作確認試験では、第二空間の全圧を大気圧、５０００Ｐａ、１０００Ｐａ、２００Ｐａとしたとき、それぞれ第二空間における水素濃度を１００％、８０％、５０％、３０％と変化させ、そのときの起電力に基づいて水素濃度を算出した。センサ素子１１の温度は、図３で示した測定時と同じく６００℃とした。
【００３０】
図４から明らかなように、何れの圧力においても導入した水素ガスの濃度が正確に検出されている。このことから、被測定ガス雰囲気Ｈが９５０℃という高温の環境下で、５カ月という長期間にわたり連続使用されても、センサ素子１１が劣化していないことが分かる。上述したように、センサ素子を被測定ガス雰囲気内に挿入していた従来では、温度９５０℃の環境で１カ月間使用しただけでセンサ素子が劣化していたことと比べると、センサ素子１１を低温雰囲気Ｌに配することによって、耐用期間を大幅に長期化することができる。
【００３１】
次に、第二実施形態のガス濃度検出方法に使用されるガス濃度検出装置Ｅ２の構成について、図５を用いて説明する。ガス濃度検出装置Ｅ２がガス濃度検出装置Ｅ１と相違する点は、ガス排出管３２の途中に接続された管状部材３５にセンサプローブ１０が配設される点、センサ素子１１を加熱するヒータ１５をセンサプローブ１０が備えている点、及び、加熱炉２０が断熱材層２５を備えておらず、加熱部としての外部ヒータ２２ｂによって加熱されている点である。
【００３２】
より詳細には、管状部材３５は加熱炉２０から離隔した常温の空間内にある。センサプローブ１０は、センサ素子１１における測定電極ｐ２側の端部が、管状部材３５の内部空間に位置するように、管状部材３５に取り付けられている。すなわち、管状部材３５の内部空間が低温雰囲気Ｌであると共に、センサプローブ１０にとっての第二空間Ｓ２である。なお、ガス排出管３２の内部空間が、本発明の「排気路」に相当する。
【００３３】
また、ガス濃度検出装置Ｅ２の制御装置は、ガス濃度検出装置Ｅ１の制御装置と同一の構成に加え、熱電対１３によって検出されたセンサ素子１１の温度に基づいてヒータ１５に出力する電流を調整し、センサ素子１１の温度を調整する温度調整手段を備えている。
【００３４】
上記構成のガス濃度検出装置Ｅ２では、センサプローブ１０が常温の空間にあると共にヒータ１５を備えている。そのため、センサ素子１１が被測定ガス雰囲気Ｈほど高温となることなく、且つ、固体電解質の温度がイオン伝導性を示す温度範囲となるようにヒータ１５で加熱することにより、センサ素子１１の温度を被測定ガス雰囲気Ｈの温度より、少なくとも２００℃低い温度とすることができる。従って、被測定ガス雰囲気Ｈが高温であっても、センサ素子１１の劣化を抑制することができる。
【００３５】
実際に、第二実施形態のガス濃度検出装置Ｅ２を、被測定ガス雰囲気Ｈの温度が９５０℃である高温環境で、センサ素子１１の温度を５５０℃に調整して１年半にわたり連続使用した後、センサプローブ１０の動作確認試験を行った。センサ素子１１としては、プロトン伝導性のＳｒＺｒ０．９５Ｙｂ０．０５Ｏ３−αを使用した。動作確認試験は、第二空間Ｓ２に導入するガスの濃度を３１％水素−６９％アルゴン、１０％水素−９０％アルゴン、５％水素−９５％アルゴンと変化させ、それぞれの濃度のガスを導入している間に、第二空間Ｓ２の圧力を大気圧（１０１３２５Ｐａ）、１５００Ｐａ、５０００Ｐａ、１００００Ｐａの順に変化させた。センサ素子１１の温度は、５５０℃とした。
【００３６】
その結果、何れの圧力においても、導入ガスにおける水素濃度に比例して水素分圧が変化した。また、全圧の変化に伴い、水素分圧の変化が応答性良く検出された。例として、導入ガスにおける水素濃度が３１％のときの全圧と、起電力から算出された水素分圧を図６（ａ）に示し、導入ガスにおける水素濃度が５％のときの全圧と、起電力から算出された水素分圧を図６（ｂ）に示す。
【００３７】
また、上記のように圧力が異なる場合それぞれについて、導入ガスにおける水素濃度と起電力に基づいて算出された水素濃度との関係を図７に示す。図７から明らかなように、何れの圧力においても導入した水素ガスの濃度が正確に検出されている。このことから、被測定ガス雰囲気Ｈが９５０℃という高温である環境下で、１年半という長期間にわたり連続使用されても、センサ素子１１が劣化していないことが分かる。
【００３８】
以上のように、ガス濃度検出装置Ｅ１，Ｅ２を使用した本実施形態のガス濃度検出方法によれば、固体電解質のセンサ素子１１でガス濃度を検出する際は被測定ガス雰囲気にセンサ素子を挿入するという従来の常識に反し、センサ素子１１を被測定ガス雰囲気Ｈより低温の雰囲気に置くことにより、ガス濃度を正確に検出しつつセンサ素子１１の耐用期間を長期化することができる。
【００３９】
また、ガス濃度検出装置Ｅ１，Ｅ２を使用した本実施形態のガス濃度検出方法は、減圧下でもガス濃度を正確に検出することができるため、鋼材料の表面処理が減圧下で行われる場合など、減圧下でガス濃度を検出しなくてはならない用途に特に適している。
【００４０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４１】
例えば、上記では、形状が有底筒状であるセンサ素子が筒状のホルダの内部空間を閉塞しているセンサプローブを例示したが、基準電極が接する第一空間と測定電極が接する第二空間とが区画されるようにセンサ素子がホルダに保持されるものであれば、センサ素子の形状及びホルダによる保持の態様は限定されない。例えば、有底筒状のセンサ素子が、その開口をホルダの内部または外部に向けた状態で、ホルダの一端を閉塞している態様、柱状または平板状のセンサ素子がホルダの内部空間を閉塞している態様、或いは、柱状または平板状のセンサ素子がホルダの一端を閉塞している態様のセンサプローブを、何れも使用することができる。
【符号の説明】
【００４２】
１０  センサプローブ
１１  センサ素子
１５  ヒータ
２０  加熱炉
２１  炉壁
２２  発熱体（加熱部）
２２ｂ  外部ヒータ（加熱部）
２５  断熱材層
３１  ガス導入管
３２  ガス排出管
３５  管状部材
４１  減圧装置
４２  圧力計
Ｈ  被測定ガス雰囲気
Ｌ  低温雰囲気
ｐ１  基準電極
ｐ２  測定電極
Ｓ１  第一空間
Ｓ２  第二空間
【図１】
2019132756.tif 000003
【図２】
2019132756.tif 000004
【図３】
2019132756.tif 000005
【図４】
2019132756.tif 000006
【図５】
2019132756.tif 000007
【図６】
2019132756.tif 000008
【図７】
2019132756.tif 000009